【手続補正書】
【提出日】平成21年5月22日(2009.5.22)
【手続補正１】
【補正対象書類名】明細書
【補正対象項目名】００３８
【補正方法】変更
【補正の内容】
【００３８】
上顎模型を咬合器にマウントするのにフェイス・ボウが必要になります。先ず患者の視線の高さに２本のロープを前後に水平線に平行になる様に張り、患者がこのロープが一本に重なって見えるように頭部の位置を決定します。此れは人は左右の目を結んだ線が水平線に対して平行になるとは限らないので視線を水平線と平行に保つ為に行います。
【手続補正２】
【補正対象書類名】明細書
【補正対象項目名】００３９
【補正方法】変更
【補正の内容】
【００３９】
バイトフォーク４６の上にコンパンドを取り付け患者に噛んでもらう事で歯痕跡を残す。耳穴挿入部４０を左右の耳穴に入れフェイス・ボウ・アーム４１を固定する。フェイス・ボウ支柱４５の高さを調節窓４４とアーム左右調節窓４３とアーム支柱固定具４２の中央の雌捩子５７を使ってフェイス・ボウを固定する。支柱４５は前頭面でアーム支柱固定ネジ５１を支点にして左右に振れる。此れは左右の耳穴を結んだ線が水平線と平行になるとは限らないので従来のフェイス・ボウの様にアーム４１と支柱４５が垂直に成るとは限らない。バイトフォーク４６と支柱４５はフェイス・ボウ支柱・水準器固定具４９で連結し固定できる。バイトフォーク４６はバイトフォーク前後調節凹部４７の内空部５８にバイトフォーク前後調節凸部４８を挿入することで前後に長さを調節でき、即重レジンで固定する。フェイス・ボウ支柱回転球５６は固定具４９の内面半球６０と回転球押さえ部５９の内面半球の中で自由に回転できる。固定する時は内面半球６０の下部に雌ネジが在り固定ネジ５１と同様のネジで固定する。
この様にして患者にセットしたフェイス・ボウに図１４から成る水準器を固定具４９の水準器固定部５０に水平になるよう蝶ナットで固定する。この様にする事で左右の耳穴や視線と水平な位置関係の患者の咬合平面をフェイス・ボウに記録する事が出来るようになります。
【手続補正３】
【補正対象書類名】明細書
【補正対象項目名】００４０
【補正方法】変更
【補正の内容】
【００４０】
バイトフォーク４６上のコンパウンドに残った歯痕跡に上顎模型１７を置きステッキーワックス等で固定する。
【手続補正４】
【補正対象書類名】明細書
【補正対象項目名】００４１
【補正方法】変更
【補正の内容】
【００４１】
咬合器のハウジング回転板５とハウジング６からなる部分に平均回転軸調整具６５の内側に設けている平均回転軸調整具取り付け装置６６を嵌め込む。この調整具６５の外側に設けているフェイス・ボウ耳穴固定球６４をフェイス・ボウ耳穴挿入部孔３９に嵌め込む。左右ともこの様に固定し咬合器とフェイス・ボウを取り付ける。この時インサイザルピン２９は取り外しておく。
平均回転軸調整具６５とは耳穴からどの位置に下顎顆頭の回転軸(ヒンジアキシス)が在るかという事です。これは研究者によってその数値は微妙に異なるけれど発表されています。
【手続補正５】
【補正対象書類名】明細書
【補正対象項目名】００４２
【補正方法】変更
【補正の内容】
【００４２】
上顎模型１７が咬合器の中央部に位置する様に上顎マウンティングプレート回転板１５と上顎模型支柱１３を調整する。この時下顎マウティングプレート回転板２２と下顎模型支柱２７を調整しバイトフォーク４６の下部をスプリットキャスト凹１９で支える。
【手続補正６】
【補正対象書類名】明細書
【補正対象項目名】００４３
【補正方法】変更
【補正の内容】
【００４３】
コンダイル３４が咬合器支柱８の内部で上下出来る様にコンダイル上下可動支柱６１と支柱８の内部にコンダイル上下可動支柱挿入部６２を設ける。そして図１４から成る水準器が水平に成る様に左右のコンダイル３４を上下させ調整する。水準器が水平に成ったところでコンダイル上下可動支柱固定雌ネジ６３と固定ネジ５５と同様の雄ネジで支柱６１を固定する。
【手続補正７】
【補正対象書類名】明細書
【補正対象項目名】００４８
【補正方法】変更
【補正の内容】
【００４８】
従来の咬合器は左右のコンダイルが固定されていて左右の後方規準点を結んだとき水平に成るしかなかったのですが、本来生体において後方規準点とされる耳穴とかヒンジアキシス、あるいは前方規準点となる眼下部とか鼻稜部は左右の高さが同一とは限りません。だから従来のフェイス・ボウで記録した咬合平面を従来の咬合器に上顎模型をマウントした時、水平面で生体上の咬合平面よりも異常な角度に成り易い。この咬合器とフェイス・ボウはこの間違いを解消する事ができます。
【手続補正８】
【補正対象書類名】明細書
【補正対象項目名】００６３
【補正方法】変更
【補正の内容】
【００６３】
【図１】咬合器全体の立体斜視図。
【図２】上顎に関係する部品の分解斜視図。１１と３１は溶接
【図３】下顎に関係する部品の分解斜視図。３２と２６は溶接  ２５と２７は省略
【図４】ハウジングに関係する部品の分解斜視図。３と３３，５と６と７と１０は溶接。
【図５】印記用ハウジングに関係する部品の分解斜視図。
【図６】フェイス・ボウ全体の立体斜視図。
【図７】フェイス・ボウ・アームの斜視図。
【図８】フェイス・ボウ支柱の斜視図。
【図９】フェイス・ボウ・アームとフェイス・ボウ支柱固定具の斜視図。
【図１０】バイトフォークの斜視図。
【図１１】バイトフォークとフェイス・ボウ支柱固定具の斜視図。５９と６０はフェイス・ボウ支柱球５６が内接し回転可動状態で溶接。
【図１２】コンダイル支柱と咬合器支柱の分解斜視図。コンダイル３４の印記ピン誘導孔３５は記入を省略。  図１咬合器全体斜視図において、支柱６１、支柱挿入孔６２、及び固定雌ネジは記入を省略。
【図１３】平均回転軸調整具の斜視図。左側は咬合器の外側右側は内側からの図。
【図１４】水準器に関係する部品の分解斜視図。固定用の蝶ナットは記入を省略。                          ６７と５５は溶接。
【手続補正９】
【補正対象書類名】明細書
【補正対象項目名】００６４
【補正方法】変更
【補正の内容】
【００６４】
１上弓
２ハウジング固定用ナット
３ハウジング固定用ボルト
４ハウジング回転板固定具
５ハウジング回転板
６ハウジング
７コンダイル前方運動誘導壁
８咬合器支柱
９脚
１０コンダイル側方運動誘導壁
１１上顎模型回転板固定ボルト
１２上顎模型回転板固定ナット
１３上顎模型支柱
１４上顎模型支柱固定ネジ
１５上顎模型回転板
１６上顎マウンティングプレート
１７上顎模型
１８下顎模型
１９スプリットキャスト凹型
２０スプリットキャスト凸型
２１下顎マウンティングプレート
２２下顎マウンティングプレート回転板
２３下弓
２４下顎模型支柱固定ネジ
２５下顎模型回転板固定ナット
２６下顎模型回転板固定ボルト
２７下顎模型支柱
２８インサイザルピン固定ネジ
２９インサイザルピン
３０インサイザルテーブル
３１上顎回転板固定具
３２下顎回転板固定具
３３ハウジング回転板固定具
３４コンダイル
３５印記ピン誘導孔
３６印記用ハウジング固定ボルト
３７印記用ハウジング
３８印記ピン
３９フェイス・ボウ耳穴固定球凹部
４０フェイス・ボウ耳穴挿入部
４１フェイス・ボウ・アーム
４２フェイス・ボウ・アームとフェイス・ボウ支柱固定具
４３フェイス・ボウ・アーム左右調整窓
４４フェイス・ボウ支柱高さ調節窓
４５フェイス・ボウ支柱
４６バイトフォーク
４７バイトフォーク前後調節棒凹部
４８バイトフォーク前後調節棒凸部
４９バイトフォークとフェイス・ボウ支柱の固定具
５０水準器挿入孔
５１フェイス・ボウ固定具４２の固定雄ネジ
５２水準器
５３回転板
５４水準器支柱
５５水準器固定雄ネジ
５６フェイス・ボウ支柱球
５７フェイス・ボウ・アームとフェイス・ボウ支柱固定雌ネジ
５８バイトフォーク前後調節棒挿入孔
５９フェイス・ボウ支柱球押さえ具
６０フェイス・ボウ支柱球支え具
６１コンダイル上下支柱
６２コンダイル上下支柱挿入孔
６３コンダイル上下支柱固定雌ネジ
６４フェイス・ボウ耳穴固定球凸部
６５平均回転軸調整具
６６平均回転軸調整具固定装置
６７水準器回転板固定具
【手続補正１０】
【補正対象書類名】図面
【補正対象項目名】全図
【補正方法】変更
【補正の内容】
【図１】
2008006144.tif 000001
【図２】
2008006144.tif 000002
【図３】
2008006144.tif 000003
【図４】
2008006144.tif 000004
【図５】
2008006144.tif 000005
【図６】
2008006144.tif 000006
【図７】
2008006144.tif 000007
【図８】
2008006144.tif 000008
【図９】
2008006144.tif 000009
【図１０】
2008006144.tif 000010
【図１１】
2008006144.tif 000011
【図１２】
2008006144.tif 000012
【図１３】
2008006144.tif 000013
【図１４】
2008006144.tif 000014